【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
多角形断面を有する段ボールシートから形成される材料パッケージであって、側壁と、前記パッケージの底部を形成する下面と、反対側の上面とを含み、該上面に対して突出する少なくとも１つの部分（２５、２６；９７ａ）を備える材料パッケージにおいて、
前記底部（３０、９０）が少なくとも１つの表面部分（１５、１６；９５）を備え、
該表面部分は、前記段ボールシートの厚さの一部にわたって切断されて圧縮され、突出表面部分に対して相補的な形状の非貫通窪みの形態を成すとともに、前記突出表面部分と一直線を成して、下側のパッケージの前記突出表面部分と共に嵌合するようになっている、
ことを特徴とする材料パッケージ。
【請求項２】
その上面がボックスの上端を構成する上壁であり、前記少なくとも１つの突出部分が前記上壁の表面部分によって形成される、ボックスの形態を成す、
請求項１に記載のパッケージ。
【請求項３】
その上面が開放面であるトレイの形態を成す、
請求項１に記載のパッケージ。
【請求項４】
前記突出表面部分（２５、２６；９５）は、前記ボックスの上端へと折り曲げられて接着される舌部（５５０、５７０；５０１ａ、５０２ａ；４０１ｂ、４０２ｂ；７００、７０１、７２０、７２１；７１０ａ、７３０ａ；８４１ｂ、８５１ｂ；７３０ｃ、７３１ｃ）によって形成される、
ことを特徴とする請求項２に記載のパッケージ。
【請求項５】
前記突出表面部分は、横軸及び／又は前記ボックスの中心に対して対称であるとともに、前記ボックスの上端の外面上へと折り曲げられて接着される舌部（５５０、５７０；５０１ａ、５０２ａ；４０１ｂ、４０２ｂ；７００、７０１、７２０、７２１；７１０ａ、７３０ａ；７３０ｃ、７３１ｃ）によって形成される、
ことを特徴とする請求項２又は４に記載のパッケージ。
【請求項６】
前記下壁（１０）及び前記側壁（１１〜１４）は、少なくとも一部がトレイ（１ａ）によって形成され、前記上壁は、前記トレイの側壁を少なくとも部分的に覆う側方フラップ（２１〜２４）を備える蓋（２）によって形成される、
ことを特徴とする請求項１、２、４、５のいずれか一項に記載のパッケージ。
【請求項７】
前記舌部（５５０、５７０）は、前記蓋の前記主フラップ（５１、５２）に接続される副フラップ（５５、５７）自体に対して折曲げ線（５５１、５７１）により接続されるフラップである、
ことを特徴とする請求項６に記載のパッケージ。
【請求項８】
側壁を形成するようになっている一連の少なくとも４つの主セクション（７０〜７３；７０ａ〜７３ａ；７０ｂ〜７３ｂ；７０ｃ〜７３ｃ）によって、及び、折り曲げられた時点で前記パッケージの前記底部及び前記上端を形成するように主セクションのそれぞれに対を成して接続される２つの対向する側方フラップの４つのセット（８０、８１；８２、８３；８４、８５；８６、８７；８０ａ、８１ａ；８２ａ、８３ａ；８４ａ、８５ａ；８６ａ、８７ａ；８０ｂ、８１ｂ；８２ｂ、８３ｂ；８４ｂ、８５ｂ；８６ｂ、８７ｂ；８０ｃ、８１ｃ；８２ｃ、８３ｃ；８４ｃ、８５ｃ；８６ｃ、８７ｃ）によって形成される、
ことを特徴とする請求項１、２、４、５のいずれか一項に記載のパッケージ。
【請求項９】
各舌部（７１０ａ、７３０ａ）は、折曲げ線（７１１ａ、７３１ａ）により主セクション（７０ａ、７１ａ）に接続されるフラップによって形成される、
ことを特徴とする請求項８に記載のパッケージ。
【請求項１０】
前記舌部（５０１ａ、５０２ａ；４０１ｂ、４０２ｂ；７００、７０１、７２０、７２１；７３０ｃ、７３１ｃ）は、それらが折曲げ線（５０３ａ、５０４ａ；４０３ｂ、４０４ｂ；８００、８４０；７３２ｃ、７３３ｃ）により接続される前記ボックスの上壁の切り欠きによって形成される、
ことを特徴とする請求項４〜６及び８のいずれか一項に記載のパッケージ。
【請求項１１】
前記ボックスの前記底部及び前記上端は、前記横軸に対して及び前記ボックスの中心に対して対称な突出部分（８４１ｂ、８５１ｂ）及び窪み部分（８０１ｂ、８１１ｂ）を含む、
ことを特徴とする請求項４〜５及び８のいずれか一項に記載のパッケージ。
【請求項１２】
前記側壁（４１〜４４；７０〜７３）が接合線（４１０〜４４０；８１０〜８４０）によって前記底部に接続され、前記圧縮された表面部分（４０１、４０２；８１１、８１２；８５１、８５２）は接合線を跨ぐ及び／又は前記接合線の傍に辺を有する、
ことを特徴とする請求項１、２、４〜８のいずれか一項に記載のパッケージ。
【請求項１３】
前記窪み部分（４０１ａ、４０２ａ；５０５ｂ、５０６ｂ；８１１ａ、８５１ａ；８０１ｂ、８１１ｂ；７１１ｃ、７１２ｃ）は、前記側壁を前記底部に接続する前記接合線（４２２ａ、４１２ａ；４０４ａ、４０５ａ；５１０ｂ〜５３０ｂ；８５０ａ、８１０ａ；８００ｂ、８１０ｂ；８２０ｃ、８３０ｃ）から離れている、
ことを特徴とする請求項４〜１１のいずれか１項に記載のパッケージ。
【請求項１４】
前記突出部分は、前記トレイの前記上面の１つの角部に位置される凸状舌部（３３０、３３１；３４０、３４１）によって形成される、
ことを特徴とする請求項３に記載のパッケージ。
【請求項１５】
前記トレイの２つの側壁（３１ａ、３２ａ）が一対の対向する副フラップ（３５ａ、３６ａ；３７ａ、３８ａ）を含み、それらの副フラップのうちの少なくとも１つが前記突出部分を形成するべく折曲げ線（３５２ａ、３５３ａ；３６２ａ、３６３ａ；３７２ａ、３７３ａ；３８２ａ、３８３ａ）によりそれ自体に折り曲げられる、
ことを特徴とする請求項３に記載のパッケージ。
【請求項１６】
多角形断面のパッケージを形成するようになっている段ボールシートから形成されるブランク又はブランクのセットであって、前記パッケージが、側壁と、前記パッケージの底部を形成する下面と、反対側の上面とを含む、ブランク又はブランクのセットにおいて、
前記パッケージが前記上面に対して突出する少なくとも１つの部分を備え、
前記底部が窪み部分と称される少なくとも１つの圧縮された非貫通窪み表面部分を備え、該表面部分は、前記段ボールシートの厚さの一部にわたって切断され、突出部分に対して相補的であるとともに、前記パッケージが形状を成した時点でそれが前記突出部分と一直線を成すときに下側のパッケージの前記突出部分と共に嵌合するようになっている、
ことを特徴とするブランク又はブランクのセット。
【請求項１７】
トレイの前記側壁を形成するためにフラップ（４１〜４４；５０ｂ〜５３ｂ；４００ａ、４０３ａ）又は副フラップ（４１ａ、４２ａ）をその辺のそれぞれに備える前記底部を形成する長方形の第１の主セクション（４０、４０ａ、５０ｂ）により形成される下壁を備える第１のブランク（４、４ａ、５ｂ）と、前記上壁を備える第２のブランク（５、５ａ、４ｂ）とを備える、
ことを特徴とする請求項１６に記載のブランクのセット。
【請求項１８】
前記上壁は、組み立てられた時点で前記パッケージの蓋の前記側壁を形成するために第２の主フラップ（５１〜５４；５１ａ〜５４ａ）をその辺のそれぞれに備える上端を形成する長方形の第２の主セクション（５０、５０ａ）によって形成される、
ことを特徴とする請求項１７に記載のブランクのセット。
【請求項１９】
前記第２のブランク（４ｂ）は、前記蓋の前記側壁を形成するようになっている一連の少なくとも４つの主セクション（４０ｂ〜４３ｂ）によって、及び、連続的に折り曲げられた時点で前記蓋の上端を形成するように前記主セクションのそれぞれに接続される４つの側方フラップ（４４ｂ〜４７ｂ）によって形成される、
ことを特徴とする請求項１７に記載のブランクのセット。
【請求項２０】
ボックスの前記側壁を形成するようになっている一連の少なくとも４つの主セクション（７０〜７３；７０ａ〜７３ａ；７０ｂ〜７３ｂ；７０ｃ〜７３ｃ）によって、及び、連続的に折り曲げられた時点で前記ボックスの前記底部及び前記上端を形成するように前記主セクションのそれぞれに対を成して接続される２つの対向する側方フラップの４つのセット（８０、８１；８２、８３；８４、８５；８６、８７；８０ａ、８１ａ；８２ａ、８３ａ；８４ａ、８５ａ；８６ａ、８７ａ；８０ｂ、８１ｂ；８２ｂ、８３ｂ；８４ｂ、８５ｂ；８６ｂ、８７ｂ；８０ｃ、８１ｃ；８２ｃ、８３ｃ；８４ｃ、８５ｃ；８６ｃ、８７ｃ）によって形成される、
ことを特徴とする請求項１６に記載のブランク。
【請求項２１】
トレイの前記底部を形成する主セクション（３０、３０ａ）を備え、該主セクションは、組み立てられた時点で前記トレイの前記側壁を形成するために主フラップ（３１〜３４；３１ａ〜３４ａ）をその辺のそれぞれに備える、
ことを特徴とする請求項１６に記載のブランク。
【請求項２２】
切断されて圧縮された前記表面部分が台形形状を成す、
ことを特徴とする請求項１６〜２０のいずれか一項に記載のブランク又はブランクのセット。
【請求項２３】
前記側壁（４１〜４４；７０〜７３；３１〜３４；３１ａ〜３４ａ）が接合線（４１０〜４４０；８１０〜８４０；３１０〜３４０；３１０ａ〜３４０ａ）によって前記底部に接続され、切断されて圧縮された前記表面部分（４０１、４０２；８１１、８１２；８５１、８５２；３０１〜３０４；３０１ａ〜３０４ａ）が前記接合線を跨ぐ及び／又は前記接合線の傍に辺を有する、
ことを特徴とする請求項１６〜２２のいずれか一項に記載のブランク又はブランクのセット。
【請求項２４】
段ボールシートから形成されて多角形断面を有するパッケージ及び／又はそのようなパッケージの少なくとも１つの心出し部材を形成するための装置であって、前記パッケージが、側壁と、前記パッケージの底部を形成する下面と、反対側の上面とを含み、前記部材が、前記底部の前記下面に設けられる窪み部分と、前記パッケージの前記上面に対して突出するとともに、前記窪み部分に対して相補的形状でありかつ一直線を成す部分とを備える、装置において、
該装置は、前記パッケージの前記底部を形成する前記壁を特定の位置へ至らせるための手段（６７）を含み、
前記底部の外面の少なくとも１つの表面部分（４００）は、前記底部を形成する前記段ボールシートの厚さの一部にわたって予め切断されてしまっており、
前記装置は、
前記切断された表面を圧縮するための少なくとも１つの部分（６２、６３）と、
前記圧縮部分に対向する少なくとも１つの対抗圧力部材（６４、６５）と、
前記圧縮部分と前記対抗圧力部材との間で前記切断された表面部分を圧縮して非貫通窪みの形態を成す前記部分を形成するようになっているプッシャー手段と、を更に含む、
ことを特徴とする装置。
【請求項２５】
前記対抗圧力部材がフォーマーの形態を成す、
ことを特徴とする請求項２４に記載の装置。
【請求項２６】
多角形断面を有する段ボールシートから形成されるパッケージであって、側壁と、前記パッケージの底部を形成する下面と、反対側の上面とを含むパッケージを、前記底部を形成するようになっているパネルを特徴とする少なくとも１つのブランクから形成する方法において、
前記パッケージの前記底部を形成するようになっている前記パネルが特定の位置に至らされ、
前記底部の外面の少なくとも１つの表面部分が前記底部を形成する段ボールシートの厚さの一部にわたって予め切断されてしまっており、前記切断された表面部分は、非貫通窪みの形態を成す表面部分を形成するために前記圧縮に対して反対の方向で対抗圧力を及ぼすことによって圧縮される、
ことを特徴とする方法。